(57)【要約】【課題】  ドアを閉めたまま建付調整ができるショーケース用ドアを提供する。【解決手段】  本発明のショーケース用ドア１において、下枠２７は下枠２７の長手方向に長い下軸ガイド部２５を有し、上軸１３を上枠１５の軸受け部１７で支持し且つ下軸２１を下枠２７の下軸ガイド部２５で支持することによりドア本体１１を枠７に回転自在に支持してあり、下軸２１は下軸２１と略直交する方向に突出するアーム２３を有し、建付調整具９は下枠２７に取り付けてあると共に、アーム先端２３ｂの前後方向位置を調整する位置調整部材３５を有し、位置調整部材３５の操作部３５ｂが店舗側に面している。【選択図】      図１
2005307672.tif 000002
【特許請求の範囲】
【請求項１】
ドア本体と、枠と、建付調整具とを備え、ドア本体は上部に設けた上軸と、下部に設けた下軸とを有し、上枠は上軸を支持する軸受け部を有し、下枠は下枠の長手方向に長い下軸ガイド部を有し、上軸を上枠の軸受け部で支持し且つ下軸を下枠の下軸ガイド部で支持することによりドア本体を枠に回転自在に支持してあり、下軸は下軸と略直交する方向に突出するアームを有し、建付調整具は下枠に取り付けてあると共に、アーム先端の前後方向位置を調整する位置調整部材を有し、位置調整部材の操作部が店舗側に面していることを特徴とするショーケース用ドア。
【請求項２】
建付調整具は、ケースと、ピンとを備え、ケースは上壁と、下壁と、上壁と下壁との一端を連結する連結壁とを有し、上壁と下壁とには前後方向に長いピンガイド部を有し、上壁と下壁の他端側を店舗側に向けて下枠に取り付けてあり、ピンはアームの先端部に設けてあり、ピンの上端は上壁のピンガイド部に、ピンの下端は下壁のピンガイド部に係合してあり、位置調整部材はピンの前後方向位置を調整自在にケースに設けてあることを特徴とする請求項１に記載のショーケース用ドア。
【発明の詳細な説明】
【技術分野】
【０００１】
本発明は、ショーケース用ドアに関するものである。
【背景技術】
【０００２】
特許文献１には、ドア本体の上部に設けた上軸を上枠に設けた軸受け部で支持し、ドア本体の下部に設けた下軸を下枠に設けた下軸ガイド部で支持することにより、ドア本体を枠に回転自在に支持すると共に、下軸ガイド部を下枠の長手方向に長く設けて、下軸を建付調整具で下枠の長手方向に調整自在にすることが開示されている。
この特許文献１では、建付調整具は下枠の長手方向に向けて配置した操作部を操作することにより下軸を下軸ガイド部に沿って下枠の長手方向に移動する構成になっている。
【０００３】
【特許文献１】実開平６−７１８３２号公報
【発明の開示】
【発明が解決しようとする課題】
【０００４】
しかし、特許文献１の技術では、建付調整具の操作部が下枠の長手方向（左右方向）に向けて配置してあるので、操作部を操作するときにはドアを閉めた状態ではドアが邪魔になって操作できないため、ドアを開けた状態で操作する必要がある。
ところが、ドアを開けたまま建付調整すると、例えば、冷凍ショーケースや冷蔵ショーケースの場合にはショーケース内の温度が上昇し、ショーケース内の商品の品質を損なうおそれがある。
そこで、本発明は、ドアを閉めたまま建付調整ができるショーケース用ドアの提供を目的とする。
【課題を解決するための手段】
【０００５】
請求項１に記載の発明は、ドア本体と、枠と、建付調整具とを備え、ドア本体は上部に設けた上軸と、下部に設けた下軸とを有し、上枠は上軸を支持する軸受け部を有し、下枠は下枠の長手方向に長い下軸ガイド部を有し、上軸を上枠の軸受け部で支持し且つ下軸を下枠の下軸ガイド部で支持することによりドア本体を枠に回転自在に支持してあり、下軸は下軸と略直交する方向に突出するアームを有し、建付調整具は下枠に取り付けてあると共に、アーム先端の前後方向位置を調整する位置調整部材を有し、位置調整部材の操作部が店舗側に面していることを特徴とする。
【０００６】
請求項２に記載の発明は、請求項１に記載の発明において、建付調整具は、ケースと、ピンとを備え、ケースは上壁と、下壁と、上壁と下壁との一端を連結する連結壁とを有し、上壁と下壁とには前後方向に長いピンガイド部を有し、上壁と下壁の他端側を店舗側に向けて下枠に取り付けてあり、ピンはアームの先端部に設けてあり、ピンの上端は上壁のピンガイド部に、ピンの下端は下壁のピンガイド部に係合してあり、位置調整部材はピンの前後方向位置を調整自在にケースに設けてあることを特徴とする。
【発明の効果】
【０００７】
請求項１に記載の発明により、ドアの建付調整をする場合には、店舗側を向いている操作部を店舗側から操作して、アームの先端の位置を前後に移動する。アーム先端が前後に移動すると、アームが取り付けてある下軸は下軸ガイド部に案内されて、下枠の長手方向に移動するので、下枠の長手方向における下軸の位置を調整できる。
したがって、本発明によれば、建付調整具の操作部が店舗側に面しているので、建付調整を行うときには、ドアを閉めたまま店舗側から操作部を操作して、建付調整ができる。
【０００８】
請求項２に記載の発明によれば、請求項１に記載の作用効果を奏すると共に、建付調整具は、位置調整部材の操作部を操作してケース内に設けたピンの位置を前後に移動して、ピンに連結してあるアームにより下軸を下軸ガイド部に沿って下枠の長手方向に移動する構成であるから、店舗側からの操作により下軸を下枠の長手方向に移動する機構を簡易で且つコンパクトな構成にすることができる。
【発明を実施するための最良の形態】
【０００９】
以下に、添付図面を参照して本発明の実施の形態を詳細に説明する。図１（ａ）は本実施の形態にかかるショーケース用ドアの縦断面図であり、（ｂ）は建付調整具と下軸ガイド部が設けてある下枠部分を示す平面図であり、図２（ａ）は下軸の位置を調整した後の建付調整具と下軸ガイド部が設けてある下枠部分を示す平面図であり、（ｂ）は（ａ）におけるＡ−Ａ断面図であり、図３は本実施の形態にかかるショーケース用ドアの横断面図である。尚、図１（ａ）において一点鎖線で抜き出して示すのは、上軸と軸受け部の係合部分を下から見た斜視図である。
本実施の形態にかかるショーケース用ドア１は、冷蔵ショーケース用ドアであり、ドア本体１１と、枠７と、建付調整具９とを備えており、枠７に対してドア本体１１が開閉自在となっている。
ドア本体１１は上部から上方に突設した上軸１３と、ドア本体１１の下部に設けた下軸２１とを有し、上枠１５は上軸１３を支持する軸受け部１７を有し、下枠２７は下軸ガイド部２５を有している。
上軸１３は円筒状であり、ドア本体１１の框内に挿通されたリード線１９が内部に配置されている。リード線１９は上軸１３の上端と上枠１５との間に引き出されている。
軸受け部１７は平面視が庫内側に開いた略Ｕ字形状を成しており、Ｕ字の内側に上軸１３が配置されて、Ｕ字の開口は水平方向に配置したねじ２０で止めて、Ｕ字内に上軸１３を保持している。
下軸２１は、上端がドア本体１１に嵌め込まれており、下端が下軸ガイド部２５に係合されている。下軸ガイド部２５は下枠２７の長手方向に長い長孔であり、下軸２１は下端が下軸ガイド部２５に挿入されており、下軸２１の下端を下枠２７の長手方向に移動自在に案内している。
下軸２１には、アーム２３が設けてあり、アーム２３は基端２３ａが下軸２１に連結されており、下軸２１と略直交する方向で且つ下枠２７の長手方向に突出して、先端部２３ｂが建付調整具９に連結されている。
上軸１３を上枠１５の軸受け部１７で支持し且つ下軸２１を下枠２７の下軸ガイド部２５で支持することによりドア本体１１は枠７に対して回転自在に支持されている。
建付調整具９は、下軸ガイド部２５の横で下枠２７に取り付けてあり、下軸２１の位置を下枠２７の長手方向に調整するものである。この建付調整具９はケース３１と、ピン３３と、位置調整部材３５とを備えている。
ケース３１は上壁３７と、下壁３９と、上壁３７と下壁３９との一端を連結する連結壁４１とから構成されており、連結壁４１は庫内側に位置しており、上壁３７と下壁３９の他端は店舗側に向けて配置されている。上壁３７と下壁３９とのそれぞれには前後（奥行き方向）に長いピンガイド部４３が形成されている。ピンガイド部４３は長孔である。
ピン３３はアーム２３の先端部２３ｂに設けた孔４５に挿入してあり、ピン３３の上端３３ａは上壁３７のピンガイド部４３に、ピン３３の下端３３ｂは下壁３９のピンガイド部４３に各々係合してあり、ピンガイド部４３により前後への移動が案内されている。ピン３３には上端３３ａと下端３３ｂとの間に前後方向に貫通する貫通孔４７が形成されている。
位置調整部材３５は、ねじであり、ピン３３に設けた前後方向の貫通孔４７を貫通して設けてあり、軸３５ａを固定板４９に螺合してあり、操作部（ねじの頭）３５ｂを店舗側に向けてあると共に操作部３５ｂはピン３３に係止して、操作部３５ｂの操作によりピン３３の位置を前後に調整自在になっている。尚、固定板４９は、上壁３７と下壁３９との間に固定してある。
また、本実施の形態では、連結壁４１と下枠２７の立ち上がり壁５１とにそれぞれ貫通孔５３が形成してあり、位置調整部材３５が連結壁４１と立ち上がり壁５１とを貫通して後方（庫内側）に螺進できるようになっている。
【００１０】
次に、本実施の形態にかかるショーケース用ドア１の作用及び効果を説明する。
例えば、ショウケース用ドアの長期使用によって生じるドアの片下り等のドア開閉の不具合を調整したり、ショーケースを施工するときのドアと枠との寸法や形状の誤差を調整するために、下軸２１の位置を調整することがある。
この場合、ショーケース用ドア１は閉じたままにして、店舗側に面している操作部３５ｂをドライバで操作して位置調整部材３５を螺進させたり、後退させたりする。そうすると、位置調整部材３５の移動に伴なってピン３３が前方又は後方に移動し、ピン３３に連結されているアーム２３の先端部２３ｂが前後に移動するので、アームの基端２３ａに連結してある下軸２１はアーム２３の先端部２３ｂの移動に追随して前後方向を斜めに移動しようとするが、下軸２１は下軸ガイド部２５により下枠２７の長手方向のみの移動が案内されているので、下枠２７の長手方向の位置が調整される。
本実施の形態によれば、建付調整具９の操作部３５ｂが店舗側に面しているので、建付調整を行うときには、ドアを閉めたまま店舗側から操作部３５ｂを操作することができ、ドアを閉めたまま建付調整ができる。
したがって、本実施の形態のように冷蔵ショーケースの場合には建付調整のときに、ドアを開けなくて済むので、ショーケース内の温度が上昇してショーケース内の商品の品質を損なうことを防止できる。
建付調整具９は、ケース３１内に設けたピン３３の位置を前後に調整することにより、ピン３３に連結してあるアーム２３を下枠２７の長手方向に移動する構成であるから、簡易で且つコンパクトな構成で、店舗側からの操作により下軸２１を下枠２７の長手方向に位置調整する機構を得ることができる。
【００１１】
本発明は、上述した実施の形態に限らず、本発明の要旨を逸脱しない範囲で種々変形可能である。
ショーケース用ドア１は、冷凍用ショーケースや、温度管理を必要としないショーケースに用いるものであってもよい。
下軸ガイド部２５は溝であってもよいし、またピンガイド部４３も溝であってもよい。
下軸ガイド部２５は下枠２７と別体の部品を下枠２７に取り付けるものであってもよい。
軸受け部１７は上枠１５と別体の部品を取り付けることに限らず、上枠１５に形成した孔や溝等であってもよい。
アーム２３は、下枠２７の長手方向に略平行に配置して位置調整部材３５に取り付けることに限らず、下枠２７の長手方向に対して斜めに配置して位置調整部材３５に取り付けるものであってもよい。
位置調整部材３５が螺合する固定板４９はケース３１内に固定したナットであってもよい。
位置調整部材３５はピン３３に形成した前後方向の貫通孔４７に挿通することに限らず、位置調整部材３５の先端をピン３３に当接させて操作部３５ｂの操作によりピン３５を押してピン３３を移動させるものであってもよい。また、ピン３３の側面にナットを固定して位置調整部材３５をナットに螺合させ、操作部３５ｂの操作によりナットと共にピン３３を移動させるものであってもよい。
【図面の簡単な説明】
【００１２】
【図１】（ａ）は本実施の形態にかかるショーケース用ドアの竪断面図であり、（ｂ）は建付調整具と下軸ガイド部が設けてある下枠部分を示す平面図である。
【図２】（ａ）は下軸の位置を調整した後の建付調整具と下軸ガイド部が設けてある下枠部分を示す平面図であり、（ｂ）は（ａ）におけるＡ−Ａ断面図である。
【図３】本実施の形態にかかるショーケース用ドアの横断面図である。
【符号の説明】
【００１３】
１      ショーケース用ドア
７      枠
９      建付調整具
１１    ドア本体
１３    上軸
１５    上枠
１７    軸受け部
２１    下軸
２３    アーム
２５    下軸ガイド部
２７    下枠
３１    ケース
３３    ピン
３５    位置調整部材
３５ｂ  操作部
３７    上壁
３９    下壁
４１    連結壁
４３    ピンガイド部
【図１】
2005307672.tif 000003
【図２】
2005307672.tif 000004
【図３】
2005307672.tif 000005